(57)【特許請求の範囲】
【請求項１】
遊技に遊技媒体を要する遊技機本体と、
前記遊技機本体の前面を回動自在とする扉部材と、
前記遊技機本体あるいは前記扉部材に設けられた軸部を有し、この軸部を支点に前記扉部材と前記遊技機本体とを回動自在にすると共に前記軸部を嵌脱方向に沿って移動自在に嵌装する軸受部を有するヒンジ部と、
を備えた遊技機の扉構造であって、
前記軸部には当該軸部の軸心と直交する方向に延びる係止片を設ける一方、前記遊技機本体あるいは前記扉部材に阻止部材を設け、
この阻止部材は、回動させることで軸部の嵌脱方向移動の阻止位置と非阻止位置との間を移動する部材であり、
当該阻止部材を前記阻止位置に移動した状態において、
前記阻止部材の少なくとも一部を、前記軸部の軸心を含むその周囲でかつ前記係止片の直下に配すると共に当該係止片に当接させることを特徴とする遊技機の扉構造。
【請求項２】
遊技に遊技媒体を要する遊技機本体と、
前記遊技機本体の前面を回動自在とする扉部材と、
前記遊技機本体あるいは前記扉部材に設けられた軸部を有し、この軸部を支点に前記扉部材と前記遊技機本体とを回動自在にすると共に前記軸部を嵌脱方向に沿って移動自在に嵌装する軸受部を有するヒンジ部と、
を備えた遊技機の扉構造であって、
前記軸部には当該軸部の軸心と直交する方向に延びる係止片を設ける一方、前記遊技機本体あるいは前記扉部材に阻止部材を設け、
この阻止部材は、摺動させることで軸部の嵌脱方向移動の阻止位置と非阻止位置との間を移動する部材であり、
当該阻止部材を前記阻止位置に移動した状態において、
前記阻止部材の少なくとも一部を、前記軸部の軸心を含むその周囲でかつ前記係止片の直下に配すると共に当該係止片に当接させることを特徴とする遊技機の扉構造。
【請求項３】
前記軸部は、嵌脱方向に弾力的に付勢されていることを特徴とする請求項１または２に記載の遊技機の扉構造。
【請求項４】
前記阻止部材は、前記軸受部に前記軸部が嵌装され前記扉部材と前記遊技機本体とが回動自在に軸支された位置で、軸部の嵌脱方向移動を阻止していることを特徴とする請求項１〜３のいずれかに記載の遊技機の扉構造。
【請求項５】
前記阻止部材は、保持部材により回動自在に保持され、かつ、前記保持部材に当接することで前記阻止部材の回動を前記阻止位置で止める第１係止部と、前記係止片と係合し前記軸部の移動を阻止する第２係止部とを有することを特徴とする請求項１、３、４のいずれかに記載の遊技機の扉構造。
【請求項６】
前記扉部材の閉状態時は前記阻止部材により係止状態にあり、前記扉部材の外部から前記軸部を移動させる作用が生じても前記軸部の移動を阻止していることを特徴とする請求項１〜５のいずれかに記載の遊技機の扉構造。
【発明の詳細な説明】
【０００１】
【発明の属する技術分野】
この発明は、遊技機本体の前面を開閉自在とする扉部材を有する遊技機の扉構造に係り、特に遊技機本体の遊技盤に対して、例えば、入賞口に遊技媒体が入り易くさせるために、扉部材と遊技機本体とを容易に分離させない技術又は不正行為を未然に防止する技術に関するものである。
【０００２】
【従来の技術】
遊技機１は、図１０の斜視図に示すように、縦長な方形状に枠組みにて構成され遊技機１の設置場所に強固に固定される遊技機本体と扉部材とから構成される。そして、遊技機本体は、外枠３と、その外枠３に一側を保持され、且つその外枠３に対して開閉自在に設けられた表枠４と、を備えている。なお、表枠４にはパチンコ遊技機１を構成する主要構成部品のほぼ全てが集約されて構成されている。
【０００３】
表枠４に設けられる主要構成部品としては、盤面が遊技領域とされる遊技盤６と、この遊技盤６に設けられた遊技領域に遊技媒体（以下、パチンコ玉という）を打ち出す発射装置（遊技球処理部）を操作するための操作ハンドル８と、パチンコ遊技機１に供給すべきパチンコ玉、およびパチンコ玉が入賞した際に遊技機１から払い出される賞球を貯留する受皿となる球受皿２と、必要に応じて所定個数のパチンコ玉を排出するパチンコ玉払出ユニット（図示せず）と、遊技盤６の裏面側の方向に設けられた各種装置を制御することで遊技状態を制御する制御装置（図示せず）とが挙げられる。
【０００４】
尚、本発明における遊技機の遊技媒体とは、前記遊技機による所定遊技を進行させるために現金と変換して使用する、直径１１mm程度の球状の玉、又は、直径２５〜３０mmで、且つ厚さ１．２mm程度のメダルとしての価値媒体などにより前記所定遊技を進行させる遊技機用価値媒体である。そして、パチンコ遊技機等の遊技機は、その前面に、遊技の進行状況に応じて本体内部に設けられた遊技媒体通路となる球排出通路を介して払い出される賞球や、現金あるいは遊技球貸し出し専用カード（パチンコ・プリペイドカード）により前記球排出通路を介して貸し出された貸球を受けるための受皿である球受皿が設けられている。
【０００５】
一方、扉部材は、窓枠５と玉受皿付き支持部材２からなり、上側表部材となる窓枠５は、表枠４の前面上部に開閉自在に設けられている。この窓枠５は、遊技盤６の遊技領域全体をその枠内にほぼ覗きみることができる透視部９を備えている。この透視部９の外周に沿って装飾ＬＥＤ・装飾ランプや、スピーカー１２，１２等が設けられている。この装飾ＬＥＤ・装飾ランプは、遊技の進行状況に応じて点滅する。また、スピーカー１２，１２は遊技の進行状況に応じて各種効果音を発する。
【０００６】
また、上述した部品や装置が設けられた遊技盤６の下方には、パチンコ玉を貯留する球受皿１９が設けられている。この球受皿１９は、表枠４に対して開閉自在に設けられた下側表部材である球受皿付き支持部材２と一体構成になっている。そして、球受皿付き支持部材２の開放時に、表枠４側に設置された発射装置等を覗きみることができる。なお、図１０において球受皿１９は、遊技機１に対して一皿のみ設けられているが、球受皿１９は一皿のみのものとは限られず、上下２段と分かれてなる２つの球受皿が備えられているものでも良い。
【０００７】
また、球受皿付き支持部材２を開放すると、前記遊技機本体側にある球排出通路端部（開口口）の払出し口を覗くことができ、前記球受皿側には払出し受口を覗くことができる。
【０００８】
更に、前記球受皿１９には遊技球を遊技機とは別体に設けられた遊技球収納箱等に収納するための球抜き穴機構が設けられている。この球抜き穴機構は前記球受皿への遊技球の貯留が満杯になる前に球抜き穴部を開放して遊技球貯留箱等に移す際に用いられる。
【０００９】
球受皿１９は、内部にパチンコ玉を貯留する貯留部を有し、パチンコ遊技機１前面から前方に突出して設けられている。また、球受皿１９の右側部分の底面を基端として、発射装置へパチンコ玉を案内する案内流路２０へ向かう穏やかな傾斜が設けられている。この傾斜の上流には、入賞時に払い出される賞球または貸球を払い出す開口部すなわち払出し口２２が設けられている。
【００１０】
また、遊技盤６は、表枠４の裏面側に一体的に形成される遊技盤６の収納枠（図示せず）に収納固定されるべく、ほぼ正方形状の合板により形成されている。
【００１１】
［ヒンジ部の説明］
扉部材である窓枠５は、図１１に示すように、その左側端部が上側ヒンジ部３０及び下側ヒンジ部（図示せず）を介して表枠４に開閉自在に取り付けられている。上側ヒンジ部３０は、図１２（ａ）に示すように、表枠４に固定され軸受部３１を有する板部材３２と、窓枠５に固定された保持部材３３と、この保持部材３３に設けられた支持片３４，３４に嵌脱自在に挿入された扉部材取り外しピン（軸部）３５と、このピン３５を上方に付勢するスプリング３６とを備えている。
【００１２】
保持部材３３は、表枠４の板部材３２より下側に隙間ｄ１を空けて配置されている。扉部材取り外しピン３５は、その上端部が板部材３２の軸受部３１内に遊嵌されている。また、扉部材取り外しピン３５の下部側には、図１２（ｂ）に示すように、略Ｌ字状に折り曲げられたレバー部分３５ａが形成されている。
【００１３】
扉部材取り外しピン３５の上部側には、上下の支持片３４，３４の間に配置されたワッシャ部材３５ｂが固定されている。そして、このワッシャ部材３５ｂと、下側の支持片３４との間に、スプリング３６が介装されている。
【００１４】
図１２（ｃ）に示すように、レバー部分３５ａの下方は開放されており、このレバー部分３５ａを指などで押し下げることにより、扉部材取り外しピン３５をスプリング３６の付勢力に対抗して下方にスライドできるようになっている。
【００１５】
また、下側ヒンジ部は、窓枠５に固定されたピン部材、表枠４に設けられた係止孔（いずれも図示せず）とを有している。
【００１６】
窓枠５を表枠４に取り付ける場合には、上側ヒンジ部３０の扉部材取り外しピン３５のレバー部分３５ａを押し下げた状態で、まず下側ヒンジ部のピンを係止孔に挿入する。
【００１７】
次に、上側ヒンジ部３０の扉部材取り外しピン３５を板部材３２の軸受部３１に合わせてから、レバー部分３５ａに加えていた押し下げ力を解除する。これにより、扉部材取り外しピン３５がスプリング３６の付勢力で上昇し、その上端部が軸受部３１に挿入される。
【００１８】
これとは反対に、窓枠５を表枠４から取り外す場合には、上側ヒンジ部３０における扉部材取り外しピン３５のレバー部分３５ａを押し下げ、ピン３５の上端部を軸受部３１から抜き出した状態で、窓枠５の上端部を板部材３２と干渉しない位置までずらしてから、窓枠５全体を持ち上げて下側ヒンジ部のピンを係止孔から引き抜く。
【００１９】
【発明が解決しようとする課題】
ところで、従来は、上側ヒンジ部３０において、図１２（ａ）に示したように、表枠４に固定された板部材３２と、窓枠５に固定された保持部材３３との間の隙間ｄ１と、板部材３２と表枠４の本体との間の隙間ｄ２とがあり、これらの隙間ｄ１，ｄ２は外部に露出されているので、これらの隙間ｄ１，ｄ２を通して外部から扉部材取り外しピン３５を操作し、押し下げることが可能な構造になっていた。
【００２０】
これらの隙間ｄ１，ｄ２には、ピアノ線などを挿入することが可能であり、不正行為を企む者が扉部材取り外しピン３５を押下すると、これを軸受部３１から分離させて遊技機１の扉部材５を開放することができる。
【００２１】
このように、扉部材５が開いてしまうと、不正行為者が遊技盤６上のゲージなどに不正工作を施すことが可能となり、入賞口に遊技球を入れ易くするような不正行為が行われる可能性があった。
【００２２】
本発明は、前記問題点に鑑みなされたもので、遊技機の遊技盤に対して、例えば、入賞口に遊技球が入り易くするために、扉部材と遊技機本体とを分離させるなどの不正行為を未然に防止し、これによって遊技機における防犯及び、不用意な設置時などにおける破損防止効果を向上させることができる遊技機の扉構造を提供することにある。
【００２３】
【課題を解決するための手段】
本発明の遊技機の扉構造は、前述の技術的課題を解決するために以下のように構成されている。
【００２４】
すなわち、本発明の遊技機の扉構造は、遊技に遊技媒体を要する遊技機本体と、前記遊技機本体の前面を回動自在とする扉部材と、前記遊技機本体あるいは前記扉部材に設けられた軸部を有し、この軸部を支点に前記扉部材と前記遊技機本体とを回動自在にすると共に前記軸部を嵌脱方向に沿って移動自在に嵌装する軸受部を有するヒンジ部と、を備えた遊技機の扉構造であって、前記軸部には当該軸部の軸心と直交する方向に延びる係止片を設ける一方、前記遊技機本体あるいは前記扉部材に阻止部材を設け、この阻止部材は、回動させることで軸部の嵌脱方向移動の阻止位置と非阻止位置との間を移動する部材であり、当該阻止部材を前記阻止位置に移動した状態において、前記阻止部材の少なくとも一部を、前記軸部の軸心を含むその周囲でかつ前記係止片の直下に配すると共に当該係止片に当接させることを特徴とする。
また阻止部材は、摺動させることで軸部の嵌脱方向移動の阻止位置と非阻止位置との間を移動する部材であり、当該阻止部材を前記阻止位置に移動した状態において、前記阻止部材の少なくとも一部を、前記軸部の軸心を含むその周囲でかつ前記係止片の直下に配すると共に当該係止片に当接させるものとしてもよい。
【００２５】
なお、ヒンジ部とは、ヒンジピンなどを用いて、中心軸の周りに互いに揺動したり、回転できる構造をいう。このヒンジ構造の支点、連結点をそれぞれ回転支点、滑節という。また、ヒンジ部は遊技機本体側にあっても、扉部材側にあってもよく、遊技機本体側と扉部材側の両方にあってもよい。
【００２６】
この構成により、阻止部材で軸部の移動を阻止した状態で、遊技機の外部から、ヒンジ部近傍の様々な隙間（開口）を通じてピアノ線などの線状道具を挿入して軸部を移動させようとしても軸部は移動しない。すなわち、ピアノ線などの線状道具は、扉部材と遊技機本体との隙間から侵入させることが多い。この場合、この構成による阻止部材が、軸部の係止片と当接し、軸部の移動を阻止していることにより、ピアノ線などの線状道具を用いて軸部を嵌脱方向に移動させようとしても、阻止部材に突き当たり、移動が不可能になる。そのため、不正行為者が遊技機の扉部材を開放して遊技盤上のゲージなどに不正工作を行うことを防止することができ、防犯効果を向上させることができる。
【００２７】
本発明の遊技機の扉構造は、前述した必須の構成要素からなるが、その構成要素が具体的に以下のような場合であっても成立する。
【００２８】
すなわち、本発明の遊技機の扉構造において、前記軸部は、嵌脱方向に弾力的に付勢されていることを特徴とする。
【００３１】
更にまた、本発明の遊技機の扉構造において、前記阻止部材による係止は、前記軸受部に前記軸部が嵌装され前記扉部材と前記遊技機本体とが回動自在に軸支された位置で移動を阻止していることを特徴とする。
【００３２】
更にまた、本発明の遊技機の扉構造において、前記阻止部材は、この阻止部材の片側へ当接することで前記軸部の移動を阻止していることを特徴とする。
【００３３】
なお、係止片と阻止部材は相互に作用し合って係止できればよく、係止片と阻止部材のどちらかが変動して軸部の移動を阻止できればよい。
【００３７】
更にまた、前記阻止部材は、保持部材により回動自在に保持され、かつ、前記保持部材に当接することで前記阻止部材の回動を前記阻止位置で止める第１係止部と、前記係止片と係合し前記軸部の移動を阻止する第２係止部とを有するものとしてもよい。
【００３８】
更にまた、本発明の遊技機の扉構造において、前記阻止部材は、前記扉部材の閉状態時には前記阻止部材と係止状態にあり、前記扉部材の外部から前記軸部を移動させる作用が生じても前記軸部の移動を阻止していることを特徴とする。
【００４０】
【発明の実施の形態】
以下、本発明の一実施の形態に係る遊技機の扉構造を図１〜図９に基づいて詳細に説明する。なお、この実施の形態では、遊技機をパチンコ遊技機として説明する。
【００４１】
［遊技機の構造］
パチンコ遊技機１は、図１の正面斜視図に示すように、縦長な方形状に枠組みにて構成されパチンコ遊技機１の設置場所に強固に固定される外枠３と、その外枠３に一側を保持され、且つその外枠３に対して開閉自在に設けられたパチンコ遊技機１の本体部分となる表枠４と、その表枠４の前面上部に開閉自在に設けられた上側表部材となる窓枠５とを備え、その表枠４にはパチンコ遊技機１を構成する主要構成部品のほぼ全てが集約されて構成されている。
【００４２】
表枠４に設けられる主要構成部品としては、盤面が遊技領域とされる遊技盤６と、この遊技盤６に設けられた遊技領域に遊技媒体（以下、パチンコ玉という）を打ち出す発射装置（遊技球処理部）７と、発射装置７を操作するための操作ハンドル８と、パチンコ遊技機１に供給すべきパチンコ玉、およびパチンコ玉が入賞口１５，１５，１８に入り入賞した際にパチンコ遊技機１から払い出される賞球を貯留する受皿となる球受皿２と、必要に応じて所定個数のパチンコ玉を排出するパチンコ玉払出ユニット（図示せず）と、遊技盤６の裏面側の方向に設けられた各種装置を制御することで遊技状態を制御する制御装置（図示せず）とが挙げられる。
【００４３】
また、パチンコ遊技機１には、表枠４に対して開閉自在な上側表部材となる窓枠５が設けられている。この窓枠５は、遊技盤６の遊技領域全体をその枠内にほぼ覗きみることができる透視部９を備えている（図２参照）。
【００４４】
更に、この透視部９の外周に沿って装飾ＬＥＤ１０、装飾ランプ１１，１１、スピーカー１２，１２等が設けられている。この装飾ＬＥＤ１０や装飾ランプ１１，１１は、遊技の進行状況に応じて点滅する。また、スピーカー１２，１２は遊技の進行状況に応じて各種効果音を発する。
【００４５】
更にまた、遊技盤６は、表枠４の略中央部に装着される遊技盤６の収納枠４ａに収納固定されるべく、ほぼ正方形状の合板により形成されている。その前面には、ほぼ円形状に植立され、発射装置７により打ち出されたパチンコ玉の行き先を誘導する誘導レール１３と、誘導レール１３によって囲まれた領域に設けられた釘や風車などの障害物１４と、パチンコ玉が入ることで賞球としてパチンコ玉を払い出させる条件成立の契機となる入賞口１５，１５が複数設けられている。
【００４６】
更にまた、遊技盤６の中央には種々の図柄及び情報を遊技の進行に合わせて表示する画像表示装置１７が設けられている。画像表示装置１７の直下には、画像表示装置１７の表示内容を可変せしめる為のトリガーとなるパチンコ玉を受け入れる始動入賞口（始動口）１８が設けられている。これらの入賞口１５，１５あるいは始動入賞口１８にパチンコ玉が入ると、所定数のパチンコ玉が賞球として払い出される。
【００４７】
更に、パチンコ遊技機１の最下方には何れの入賞口１５，１５，１８にも入賞しないパチンコ玉が取り込まれるアウト口１６が設けられている。
【００４８】
また、上述した部品や装置が設けられた遊技盤６の下方には、パチンコ玉を貯留する球受皿１９が設けられている。この球受皿１９は、表枠４に対して開閉自在に設けられた下側表部材である球受皿付き支持部材２と一体構成になっている。なお、本実施の形態においてこの球受皿１９は、パチンコ遊技機１に対して一皿のみ設けられているが、本発明においては一皿のみのものとは限られず、上下２段と分かれてなる２つの球受皿が備えられているものでも良い。
【００４９】
球受皿１９は、図１に示すように、内部にパチンコ玉を貯留する球受皿貯留部を有し、パチンコ遊技機１前面から前方に突出して設けられている。
【００５０】
また、球受皿１９の右側部分の底面を基端として、発射装置７へパチンコ玉を案内する案内流路２０における発射部入口（図１中左側）２１へ向かう穏やかな傾斜が設けられている。この傾斜の上流には、入賞時に払い出される賞球または貸球を払い出す開口部すなわち払出し口２２が設けられている。
【００５１】
更に、前記斜面の途中には、球抜きボタン３１により貯留されたパチンコ玉を排出する抜き穴２３が設けられている。抜き穴２３から排出されたパチンコ玉は、下方へ誘導される案内流路によりパチンコ遊技機１の外部に排出される出口部に設置されているパチンコ玉貯留箱へと収容されることとなる。
【００５２】
［ヒンジ部の説明］
窓枠５は、図２に示すように、その左端側の上下端部が上側ヒンジ部３０及び下側ヒンジ部（図示せず）を介して表枠４に開閉自在に取り付けられている。
上側ヒンジ部３０は、図３及び図４（ａ）に示すように、表枠４に固定され軸受部３１を有する板部材３２と、窓枠５に固定された保持部材３３と、この保持部材３３に設けられた支持片３４，３４にスライド自在に挿入された扉部材取り外しピン（軸部）３５と、この扉部材取り外しピン３５を上方に弾発的に付勢するスプリング３６とを備えている。
【００５３】
保持部材３３は、表枠４の板部材３２より下側に隙間ｄ１を空けて配置されている。扉部材取り外しピン３５は、その上端部が板部材３２の軸受部３１内に遊嵌されている。また、扉部材取り外しピン３５の下部側には、図４（ｂ）に示すように、略直角に折り曲げられたレバー部材としての係止片３５ａが形成されている。
【００５４】
扉部材取り外しピン３５の上部側には、上下の支持片３４，３４間に配置されたワッシャ部材３５ｂが固定されている。このワッシャ部材３５ｂと、下側の支持片３４との間に、上述のスプリング３６が介装されている。
【００５５】
そして、係止片３５ａを指などで押し下げることにより、扉部材取り外しピン３５がスプリング３６の付勢力に対抗して下側にスライドし、その上端部が表枠４に固定された板部材３２の軸受部３１から抜き出されて、上側ヒンジ部３０が開放される。
【００５６】
扉部材取り外しピン３５の下方には、図４（ｃ）にも示すように、扉部材取り外しピン３５の嵌脱方向への移動を阻止する阻止部材４０が配置されている。この阻止部材４０は、保持部材３３に回動軸３７で取り付けられ、後述のように扉部材取り外しピン３５の移動を阻止する位置（以下、阻止位置という。）と、阻止しない位置（以下、非阻止位置という。）との間を移動自在になっている。図４（ａ），（ｂ），（ｃ）は、阻止部材４０が阻止位置にある状態を示している。
【００５７】
阻止部材４０は、図５に示すように、片側の下部が膨らんだ横長の回動板４１と、この回動板４１の膨らんでいる方の側端に設けられた取っ手４２と、この取っ手４２の反対側における上端に設けられ扉部材取り外しピン３５の係止片３５ａの片側に当接する第２係止部４３と、阻止部材４０を阻止位置で停止するため第２係止部４３より下側に設けられた第１係止部４４とを有している。
【００５８】
また、回動板４１の膨らんだ部分に、回動軸３７（図４（ａ））を挿入するための丸孔４５が設けられ、更に回動板４１を阻止位置又は非阻止位置で位置決めするための凸部４６が、回動板４１の略中央に設けられている。回動板４１の第２係止部４３と第１係止部４４との間には、補強用の絞り部４７が形成されている。
【００５９】
一方、図４（ｃ）に示すように、表枠４の保持部材３３には、回動板４１の凸部４６を挿入可能な２つの窪み４８ａ，４８ｂが形成されている。そして、回動板４１の凸部４６が、一方の窪み４８ａに挿入されたときに、阻止部材４０が阻止位置で位置決めされる。このときには、回動板４１の第１係止部４４が保持部材３３に当接して、回動板４１が所定方向Ｒへそれ以上回動しないようになっている。
【００６０】
この状態から、回動板４１をＲ方向と反対方向Ｑに回動させると、図６に示すように、回動板４１の凸部４６（図５）が他方の窪み４８ｂに挿入される。これによって、阻止部材４０が非阻止位置で位置決めされる。
【００６１】
なお、回動板４１は、保持部材３３に一定の付勢力で弾発的に押しつけられており、この付勢力によって凸部４６を窪み４８ａ，４８ｂ内に挿入した状態で保持するようになっている。また、回動板４１に一定以上の回転力を加えることにより、凸部４６が窪み４８ａ，４８ｂから抜け出るようになっている。
【００６２】
下側ヒンジ部は、窓枠５に固定されたピン部材、表枠４に設けられた係止孔（いずれも図示せず）とを有している。
【００６３】
［窓枠５の取り付け方法］
窓枠５を表枠４に取り付ける場合には、まず下側ヒンジ部のピンを係止孔に挿入する。次に、上側ヒンジ部３０の阻止部材４０を非阻止位置（図６）におき、扉部材取り外しピン３５のレバー部分３５ａを押し下げた状態で、扉部材取り外しピン３５を板部材３２の軸受部３１に合わせてから、レバー部分３５ａに加えていた押し下げ力を解除する。これにより、扉部材取り外しピン３５がスプリング３６の付勢力で上昇し、その上端部が軸受部３１に挿入される。
【００６４】
この後、阻止部材４０を回動させて阻止位置に配置し、そのままの状態を保持する。これによって、図４（ａ）に示すように、扉部材取り外しピン３５の直下に阻止部材４０の第２係止部４３が配置されるので、上側ヒンジ部３０の隙間ｄ１，ｄ２を通して外部から扉部材取り外しピン３５を押し下げようとしても、その係止片３５ａが第２係止部４３に衝突して嵌脱方向への移動が不可能になる。
【００６５】
また、窓枠５を表枠４から取り外す場合には、窓枠５を開けて上側ヒンジ部３０の阻止部材４０を非阻止位置まで回動させる。次に、扉部材取り外しピン３５のレバー部分３５ａを押し下げ、扉部材取り外しピン３５の上端部を軸受部３１から抜き出した状態で、窓枠５の上端部を板部材３２と干渉しない位置までずらしてから、窓枠５全体を持ち上げて下側ヒンジ部のピンを係止孔から引き抜く。
【００６６】
なお、ヒンジ部とは、ヒンジピンなどを用いて、中心軸の周りに互いに揺動したり、回転できる構造をいう。このヒンジ構造の支点、連結点をそれぞれ回転支点、滑節という。また、上側ヒンジ部３０は遊技機本体１側にあっても、窓枠５側にあってもよく、遊技機本体１側と窓枠５側の両方にあってもよい。
【００６７】
上述のように阻止部材４０で扉部材取り外しピン３５の移動を阻止した状態で、弾球遊技機１の外部から、弾球遊技機１の上側ヒンジ部３０近傍の隙間ｄ１，ｄ２（図４（ｃ））を通じてピアノ線などの線状道具が挿入されたときの作用を説明する。
【００６８】
ピアノ線などの線状道具は、窓枠５と表枠４との隙間ｄ１，ｄ２から侵入させることが多い。この場合、この発明による阻止部材４０が、扉部材取り外しピン３５の係止片３５ａと当接し、扉部材取り外しピン３５の移動を阻止していることにより、ピアノ線などの線状道具を用いて扉部材取り外しピン３５を嵌脱方向に移動させようとしても、阻止部材４０の係止片４３に突き当たり、移動が不可能になる。これによって、弾球遊技機１の窓枠５を開放して遊技盤６上のゲージなどに不正工作を行うことを防止することができ、防犯効果を向上させることができる。
【００６９】
また、扉部材取り外しピン３５の係止片３５ａと阻止部材４０の第２係止部４３とは、相互に作用し合って係止できればよく、係止片３５ａと阻止部材４０のどちらかが変動して軸部の移動を阻止できればよい。
【００７０】
以上、この発明の一実施形態について具体的に説明したが、この発明は、上述の一実施形態に限定されるものではなく、この発明の技術的思想に基づく各種の変形が可能である。
【００７１】
例えば、図７に示すように、扉部材取り外しピン３５をその中心軸の回りに回転可能且つ上下移動自在に支持すると共に、保持部材３３にブロック状の阻止部材５０を所定の位置に固定する。そして、扉部材取り外しピン３５を回転させてその係止片３５ａを阻止部材５０の直上における阻止位置に配置することにより、扉部材取り外しピン３５の嵌脱方向の移動を阻止することが出来る。なお、この阻止位置で、扉部材取り外しピン３５の回転をロックするためのロック手段を設けるのが好ましい。また、この場合は、扉部材取り外しピン３５が阻止位置（破線で示す位置）と非阻止位置（実線で示す位置）との間を移動する。
【００７２】
また、図８に示すように、略Ｕ字状の阻止部材５１の両端部を保持部材３３に回転自在に取り付け、この阻止部材５１の両脚部５２，５２によって、扉部材取り外しピン３５の係止片３５ａを上下から挟むようにして扉部材取り外しピン３５の嵌脱方向への移動を阻止することも出来る。
【００７３】
この阻止部材５１は、倒したり起こしたりして扉部材取り外しピン３５の移動を阻止する煽り移動自在に取り付けられている。そして、阻止部材５１が煽り移動することにより、阻止位置（実線で示す位置）と非阻止位置（破線で示す位置）との間を移動する。
【００７４】
更に、図９に示すように、略Ｌ字状の阻止部材５３を保持部材３３に摺動自在に取り付け、この阻止部材５３の先端部を扉部材取り外しピン３５の係止片３５ａの直下に配置することにより、扉部材取り外しピン３５の上下移動を阻止することができる。この場合は、阻止部材３５が阻止位置（実線で示す位置）と非阻止位置（破線で示す位置）との間を移動する。
【００７５】
更に、阻止部材としては、窓枠５の閉状態時に扉部材取り外しピン３５の少なくとも係止片３５ａを覆うカバー状の阻止部材（図示せず）を移動自在に取り付けることもできる。
【００７６】
なお、例えば上述の一実施形態においては、不正行為である不正工作に使用される線状道具として、ピアノ線を例として挙げたが、言うまでもなく、遊技機１の外部から、上側ヒンジ部３０の隙間ｄ１，ｄ２を通じて、扉部材取り外しピン３５を押圧して嵌脱方向に移動させ、窓枠５を遊技機本体から取り外し、遊技盤６に設けられたゲージなどに対して不正工作を行う可能性のあるその他の線状の道具を挙げることができる。具体的には、ピアノ線以外にも、針金、銅線、鎖（チェーン）、凧糸や生糸などの糸なども例として挙げることができ、これらの線状道具による不正行為も本発明の阻止部材４０，５０，５１，５３によって阻止できる。
【００７７】
【発明の効果】
この発明によれば、阻止部材で軸部の移動を阻止した状態で、遊技機の外部から、ヒンジ部近傍の様々な開口を通じてピアノ線などの線状道具を挿入して軸部を移動させようとしても軸部は移送しない。すなわち、ピアノ線などの線状道具は、扉部材と遊技機本体との隙間から侵入させることが多い。この場合、この構成による阻止部材が、軸部の係止片と当接し、軸部の移動を阻止していることにより、ピアノ線などの線状道具を用いて軸部を嵌脱方向に移動させようとしても、阻止部材に突き当たり、移動が不可能になる。これにより、不正行為者が遊技機の扉部材を開放して遊技盤上のゲージなどに不正工作を行うことを防止することができ、防犯効果を向上させることができる。
【図面の簡単な説明】
【図１】この発明の一実施形態による弾球遊技機の正面斜視図である。
【図２】この発明の一実施形態による弾球遊技機の窓枠を空けた状態を示す正面斜視図である。
【図３】この発明の一実施形態による弾球遊技機の上側ヒンジ部を示す正面図である。
【図４】この発明の一実施形態による弾球遊技機の阻止部材を示す図である。
【図５】この発明の一実施形態による弾球遊技機の阻止部材を示す図である。
【図６】この発明の一実施形態による弾球遊技機の阻止部材の非阻止位置を示す図である。
【図７】この発明の別の実施形態による阻止部材を示す図である。
【図８】この発明の別の実施形態による阻止部材を示す図である。
【図９】この発明の別の実施形態による阻止部材を示す図である。
【図１０】従来例の弾球遊技機の正面斜視図である。
【図１１】従来例の弾球遊技機の窓枠を空けた状態を示す正面斜視図である。
【図１２】従来例の上側ヒンジ部を示す図である。
【符号の説明】
１  弾球遊技機
３  外枠
４  表枠
５  窓枠
６  遊技盤
３０  上側ヒンジ部
３１  軸受部
３５  扉部材取り外しピン（軸部）
３５ａ  係止片
４０，５０，５１，５３  阻止部材
４３  第２係止部
４４  第１係止部
【図１】
0003943957.tif 000002
【図２】
0003943957.tif 000003
【図３】
0003943957.tif 000004
【図４】
0003943957.tif 000005
【図５】
0003943957.tif 000006
【図６】
0003943957.tif 000007
【図７】
0003943957.tif 000008
【図８】
0003943957.tif 000009
【図９】
0003943957.tif 000010
【図１０】
0003943957.tif 000011
【図１１】
0003943957.tif 000012
【図１２】
0003943957.tif 000013